(57)【特許請求の範囲】
【請求項１】
通信システムの通信チャネルを介して受信した、ある情報レートを有する情報の書式検出の方法であって、
受信した情報の書式を、該受信した情報の推定情報サイズ値から判定するステップであって、前記推定された情報サイズ値が、情報レートと、定義されたしきい値またはそれより高い電力レベルで情報が受信された期間の測定値とから判定されるステップであって、この期間が、情報を搬送する記号の電力レベルの移行を検出することによって測定されるステップを含む方法。
【請求項２】
前記期間が、スライドするウィンドウ、およびこのスライドするウィンドウについての測定された平均電力値同士の比から測定される請求項１に記載の方法。
【請求項３】
通信チャネルがガイドチャネルであり、受信した情報がガイドチャネルから抽出される請求項１に記載の方法。
【請求項４】
ガイドチャネル用のＭ個の情報サイズ値のリストと、他の各チャネル用のＭ個の情報サイズ値のリストとを含むルックアップテーブルを提供するステップをさらに含み、Ｍが整数である請求項３に記載の方法。
【請求項５】
通信システムが３ＧＰＰに準拠するＵＴＭＳ通信システムである請求項４に記載の方法。
【請求項６】
受信した情報の書式を判定するステップが、
情報レートを測定した期間に乗じることにより、ガイドチャネルから抽出した情報の推定情報サイズ値を算出するステップと、
算出した推定情報サイズ値に基づいて、ガイドチャネル用のＭ個の情報サイズ値のリストから、少なくとも１つの情報サイズ値候補を選択するステップと、
推定情報サイズ値がガイドチャネル用リスト中のＭ個の情報サイズ値のどれにも等しくない場合には、選択した候補を、ガイドチャネルから抽出した情報の実際の情報サイズ値を判定するためのアルゴリズムにかけるステップとを含む請求項４に記載の方法。
【請求項７】
推定情報サイズ値を算出するステップが、算出した情報サイズ値を最も近い整数値に四捨五入するステップを含む請求項６に記載の方法。
【請求項８】
算出した推定情報サイズ値がガイドチャネル用リスト中のＭ個の情報サイズ値の１つと等しい場合には、抽出した情報の書式を前記算出された推定情報サイズ値から判定する請求項６に記載の方法。
【請求項９】
選択した候補を実際の情報サイズ値を判定するためのアルゴリズムにかけるステップが、
抽出した情報に誤り訂正復号操作を実行し、それによって得られた結果に対してテールビット試験および誤り検出復号操作が実行されるステップを含む請求項６に記載の方法。
【発明の詳細な説明】
【０００１】
【発明の属する技術分野】
本発明は、無線通信システムのブラインドトランスポートフォーマット検出（ＢＴＦＤ）に関する。
【０００２】
【従来の技術】
関連特許
関連の内容が、本明細書と同時に出願した次の特許出願に開示されている。「Ｍｅｔｈｏｄ  ｏｆ  Ｂｌｉｎｄ  Ｔｒａｎｓｐｏｒｔ  Ｆｏｒｍａｔ  Ｄｅｔｅｃｔｉｏｎ」という名称の米国特許出願第０９／９６６８２８号。
【０００３】
通信システム、特に無線通信システムは、１つまたは複数の確立された通信規格のプロトコルに従って、通信チャネルを介して情報を搬送する（すなわち送信および／または受信する）。プロトコルとは、通信システム内の情報をどのように送信、伝播、および受信すべきかを規定した規則または手順である。確立された通信規格は、一般に、通信機器メーカーおよび関連する政府規制機関で構成された委員会によって検討および承認されたプロトコルを含む。
【０００４】
無線通信システム、特に、ＵＭＴＳ（ユニバーサルモバイル遠隔通信システム）システムのための３ＧＰＰ（第３世代パートナーシッププロジェクト）規格に準拠した無線通信システムでは、送信される情報は複数のモードで書式化される。情報は、システム機器またはユーザ機器のいずれかであり得る送信機器によって送信される。システム機器とは、システムプロバイダが所有し、運用し、維持する様々な機器である。基地局にある機器はシステム機器の例である。ユーザ機器とは、一般に、無線通信システムのユーザまたは加入者が使用するいずれかの機器である。ユーザ機器の例としては、携帯電話、無線ラップトップ、ページャが挙げられる。
【０００５】
情報の書式化とは、情報の単位（通常はビット）を、情報のグループまたはブロックに配置することを指し、この配置において各ブロックのサイズが定義される。例えば、３ＧＰＰ規格が８モードを使用してその書式化を行うとする。３ＧＰＰ規格の８モードのそれぞれは、それぞれクラスＡブロック、クラスＢブロック、クラスＣブロックと呼ばれる３つのブロック中に送信されるように情報を配置する。ＵＭＴＳでは、クラスＡ、クラスＢ、クラスＣのブロックは、トランスポートチャネル（ＴｒＣｈ）と呼ばれ、各トランスポートチャネルは、トランスポートフォーマット（ＴＦ）と呼ばれる書式を有する。これらのモードは、一般に、システム機器および／または加入者機器中の、符号化操作を実行する装置および／または機器であるＣＯＤＥＣの動作モードである。次の表は、３ＧＰＰ規格に準拠したＵＭＴＳシステム用の８モードそれぞれの書式を示す。
【表１】
0004037724.tif 000002
【０００６】
送信する情報が上記モードの１つにより配置された後、すなわち書式化された後、各情報グループは誤り訂正および／または誤り検出を行うために符号化される。符号化は、通信チャネルを介して伝搬されたことによって情報に誤りが発生するのを防ぐため、送信する情報に冗長性を導入する技術である。誤り訂正符号化は誤りを訂正するために使用され、誤り検出符号化は、誤りを検出するために使用される。書式化された情報には、様々なレベルの符号化および情報埋込みが施される。特に、ＵＭＴＳシステムの場合は、書式化された情報は、巡回冗長コーダ（ＣＲＣ）にかけられ、次いでその符号化された情報に埋め込むためにテールビットが追加される。次いで、この書式化され、符号化され、埋め込みが施された情報は、畳み込みコーダにかけられる。畳み込みコーダの出力は、その情報の単位のすべてに特殊なマッピングを施すことにより符号化された情報である。例えば、１ビットの情報すべてに２ビットをマップする畳み込みコーダの場合（すなわち１／２レート符号化）、各トランスポートチャネルの総ビット数は倍になる。したがって、３つのトランスポートチャネルのそれぞれについて、畳み込み符号化された情報が生成される。畳み込み符号化は、誤り訂正符号化の一種である。ＣＲＣ符号化は、誤り検出符号化の一種である。その後、３つのチャネルの情報は、送信の前に多重化される。
【０００７】
図１は、３ＧＰＰ規格に準拠するＵＭＴＳのトランスポートチャネルの書式の例を示す。情報ブロック１００は、８ＣＲＣビットおよび８テールビットが追加されたＡビットの情報を含むトランスポートチャネルの書式を表す。このトランスポートチャネルは、一般にＴｒＣｈ１と呼ばれる。情報ブロック１０２は、８テールビットが追加されたＢビットの情報を含むトランスポートチャネルの書式を表す。このトランスポートチャネルは、一般に、ＴｒＣｈ２と呼ばれる。情報ブロック１０４は、Ｃビットの情報と８テールビットを含むトランスポートチャネルの書式を表す。このトランスポートチャネルは、一般に、ＴｒＣｈ３と呼ばれる。
【０００８】
多重化された情報は、次いで、ＵＭＴＳシステムの単一または複数情報チャネルを介して送信される。ＵＭＴＳシステムでは、情報を、ＴＴＩ（送信時間間隔）と呼ばれるタイミング周期と同期をとって送信する。システムの送信機器および受信機器は、ＴＴＩと同期させる。ＴＴＩの各周期には、開始と終了があり、表１の３つのブロックはＴＴＩの間に送信される。受信機器では、最初にクラスＡブロックが受信され、その後にクラスＢブロック、次いでクラスＣブロックが受信される。これらの受信ブロックそれぞれのサイズは、そのときにシステムが動作しているモードによって決まる。
【０００９】
受信機器では、送信機器が適用する処理手順と逆の処理手順を適用することによって、情報を復号する。送信機器と同様に、受信機器もシステムまたは加入者機器であり得る。しかし、書式化された情報を適切に復号するために、受信機器は、実際の符号化された情報ブロック、および受信したブロックの書式化に関する情報（すなわち、各トランスポートチャネルを通る情報ブロックのサイズ）を使用する。詳細には、受信した符号化および書式化された情報ブロックを、実際のブロックおよびそのブロックのサイズを使って復号して、受信した情報の復号（例えば、ＣＲＣ復号、畳み込み復号）を行う。例えば、表１を参照すると、クラスＡの情報ブロックは、受信機器のデコーダにかけられると適切に復号されるが、この復号は、正しいサイズの値（すなわち値８１）を使用して復号操作を実行する。デコーダが使用したサイズの値が誤っている場合は、その受信ブロックは正しく復号されない。
【００１０】
【発明が解決しようとする課題】
正しいブロックサイズを知るという問題に対処するため、現行のＵＭＴＳ規格は、ＴＦＣＩ（トランスポートフォーマット組合せインジケータ）情報が受信機器に送信されるシグナリングチャネルを使用している。ＴＦＣＩは、受信ブロックのサイズを表す値を含む。前述の例の場合には、ＴＦＣＩは、クラスＡブロックについては値８１、クラスＢブロックについては値１０３、クラスＣブロックについては値６０を含む。受信した情報の復号は、受信した情報ブロックの正しいサイズ値に左右されるため、ＴＦＣＩは、通常、チャネルの異常によりよく対処できるように強固に符号化され、一層頑強になっており、したがって誤りを生じる可能性が低減されている。その結果、ＴＦＣＩを送信するためにより広い帯域幅と電力が必要とされる。さらに、ＴＦＣＩの強固な符号化によってＴＦＣＩ内に誤りが発生する可能性が低減されても、誤り限界は依然として存在する。誤り限界とは、ＴＦＣＩに適用される符号化の種類および量について、ＴＦＣＩから期待できる最良の誤り率である。
【００１１】
したがって、ＴＦＣＩを使用する必要なく、受信した情報の書式を検出する方法が必要とされている。
【００１２】
【課題を解決するための手段】
本発明は、ＴＦＣＩ情報を使用することなく、受信した情報の書式を検出する方法を提供する。本発明は、通信システムの通信チャネルを介して搬送される情報についてブラインドトランスポートフォーマット検出（ＢＴＦＤ）のための方法を、通信システムに提供する。情報が受信される通信チャネルの１つは、その通信システムのガイドチャネルとして定義される。ある情報レートで送信される情報は、通信システムの定義されたガイドチャネルを含む様々なチャネルを介して受信される。電力しきい値が設定され、ガイドチャネルを含む通信チャネルのそれぞれについて、受信している情報の電力が前述の電力しきい値と等しいかそれ以上である期間が測定される。ガイドチャネルを介して受信した情報の情報レートと、ガイドチャネルからの受信した情報に関する測定期間との積（すなわち乗算）が算出される。算出の結果、ガイドチャネルを介して受信した情報の情報サイズ値の推定値が得られる。ガイドチャネルの情報サイズ値の推定値は、受信した情報の書式を判定するアルゴリズムにかけられる。
【００１３】
【発明の実施の形態】
本発明は、ＴＦＣＩ情報を使用することなく、受信した情報の書式を検出する方法を提供する。本発明は、通信システムについて通信システムの通信チャネルを介して搬送される情報に関するブラインドトランスポートフォーマット検出（ＢＴＦＤ）を行う方法を提供する。情報が受信される通信チャネルの１つは、その通信システムのガイドチャネルとして定義される。ある情報レートで送信される情報は、通信システムの定義されたガイドチャネルを含む様々なチャネルを介して受信される。電力しきい値が設定され、ガイドチャネルを含む通信チャネルのそれぞれについて、受信している情報の電力が前述の電力しきい値と等しいかそれ以上である期間が測定される。ガイドチャネルを介して受信した情報の情報レートと、ガイドチャネルからの受信した情報に関する測定期間との積（すなわち乗算）が算出される。情報レートとは、ある時間単位に対する情報量の比である。デジタル情報の場合は、情報レートは１秒当たりのビット数（ｂｐｓ）として表される。ほとんどの通信システムでは、情報レートまたは情報レートの範囲は、その通信システムが準拠している規格により定義される。また、受信機器は、情報を受信する速度を測定する機能を備えている。算出の結果、ガイドチャネルを介して受信した情報の情報サイズ値の推定値が得られる。ガイドチャネルの情報サイズ値の推定値は、受信した情報の書式を判定するアルゴリズムにかけられる。
【００１４】
説明を簡単にするために、本発明の方法を、表１の書式を有する３ＧＰＰ規格に準拠するＵＭＴＳ通信システムという状況において説明する。この場合、情報は、情報単位がビットであるデジタル形式で表される。本発明の方法が、通信チャネルを介して情報を送信する前に、ある種の書式化スキームを使用する他の通信システム（有線または無線）にも適用できることは容易に理解されよう。送信される情報は、それぞれが表１に定義される書式を有する３つの異なるチャネル（トランスポートチャネルと呼ばれる）に多重化される。説明をわかりやすくするために、クラスＡビットが搬送されるトランスポートチャネル１（ＴｒＣＨ１）をガイドチャネルとして選択する。ガイドチャネルは、いったん情報サイズ値が検出されると、その他のチャネルの情報サイズ値もルックアップテーブルまたは他のマッピング技術から判定することが可能になる、通信システムのトランスポートチャネルの１つである。したがって、すべてのトランスポートチャネルの書式を検出することができる。クラスＢビットが搬送されるチャネルはトランスポートチャネルＴｒＣｈ２であり、クラスＣビットが搬送されるチャネルはトランスポートチャネルＴｒＣｈ３である。
【００１５】
ガイドチャネルは、好ましくは、送信機器の動作モードのそれぞれについて一意の書式を有し、他のチャネルよりも頑強な符号化がなされるチャネルである。例えば、ＴｒＣｈ１は、３つのチャネルのうち、テールビットだけでなくＣＲＣ符号化ビットも有する唯一のチャネルである。さらに、ＴｒＣｈ１の８動作モードの情報サイズ値のそれぞれは、繰り返されないという点において、一意である。例えば、ＴｒＣｈ１の場合、モード１以外のモードは８１ビットの情報サイズ値を持っていない。したがって、表１をルックアップテーブルとして使用すると、ガイドチャネル（すなわちＴｒＣｈ１）について８１という情報サイズ値が検出された場合は、その他のトランスポートチャネルの書式も判定することができ、すなわち、表１によると、ＴｒＣｈ１の情報サイズ８１は、ＴｒＣｈ２およびＴｒＣｈ３それぞれの情報サイズ１０３および６０に対応する。ルックアップテーブルは、ガイドチャネルの書式が検出されると、その他のトランスポートチャネルの対応する書式（すなわち情報サイズ値）が判定できるように構成されている。
【００１６】
複数のガイドチャネルを使用することも可能であるし、また前述の基準（すなわち、より頑強な符号化、一意の情報サイズ値）以外の基準をガイドチャネルの選択に使用することも可能であることを理解されたい。情報サイズ値は、ビット数以外の表現で表すことも可能であることに注意されたい。例えば、情報サイズ値が、各キャラクタの長さが８ビットまたは他の長さである送信された情報に含まれるキャラクタ数を示すことも可能である。また、情報をデジタル形式以外の形式で表すことも可能である。トランスポートチャネル用として存在する異なる情報サイズ値の数を一般にＭで表し、Ｍはゼロより大きい任意の整数である。
【００１７】
次に図２を参照すると、ステップ２００で、受信機器によって情報が受信される。３ＧＰＰ規格に準拠するＵＭＴＳ通信システムでは、受信した情報は、前述のように符号化（例えばＣＲＣ符号化および畳み込み符号化）され、書式化されている。受信した情報は、３つのトランスポートチャネルからの情報を含む。情報は、無線機器、処理機器、その他の通信信号の検出および受信に一般に使用されている周知の機器で受信される。
【００１８】
ステップ２０２で、ガイドチャネルの情報として受信した情報（すなわちクラスＡビット）が、定義された電力しきい値に等しいかまたはそれ以上になったときから経過した時間の長さが測定される。電力しきい値は、サービスプロバイダによって、または３ＧＰＰ規格によって定義される。受信機器がガイドチャネルの情報を搬送する通信信号を測定しているとき、信号の電力レベルが定義されたしきい値と比較され、移行の長さが判定される。測定された電力は、例えば、１記号当たりの平均受信電力のこともあり、この場合、受信した記号のそれぞれは、それぞれが数ビットの情報を表す複数の記号を含む。
【００１９】
平均受信電力は、タイムウィンドウ上で測定され、このウィンドウの中では平均受信電力は定義された電力しきい値に等しいかまたはそれ以上である。定義された電力しきい値は固定されている必要はない。しきい値は、例えば、通信信号が送信されている通信チャネル（すなわちガイドチャネル）の品質に左右されることがある。したがって、定義された電力しきい値は、通信信号が送信されている通信チャネルの品質に応じて変わる可能性がある。したがって、ビット誤り率（ＢＥＲ）、チャネルのフェージング、チャネルゲインなど、通信チャネルの品質に影響を与えるある種のチャネルの状態は、電力しきい値の特定の値に影響を与えることがある。例えば、通信の状態が比較的低品質で、より高い電力レベルでの信号の送信が要求される場合は、それに応じてしきい値が上昇する。したがって、本発明の方法のステップ２０２は、通信チャネルの品質を判定する−ＢＥＲおよび／またはチャネルゲインなどを測定することによって−ステップと、それに応じて定義されたしきい値を調整するステップも含む。
【００２０】
ステップ２０２での期間の測定は、情報を搬送する複数記号を有した受信信号の電力（例えば平均電力）の移行を検出するステップを含む。搬送されている情報は、例えば、１ビットまたは複数ビットのことがある。この場合、定義されたしきい値より低い電力レベルから、定義されたしきい値またはそれ以上のレベルへの移行が検出される。定義されたしきい値より低い電力レベルを有する信号が受信されても、このような信号は認識されず、このような信号からはまったく情報が抽出されない。したがって、しきい値よりも低い電力レベルからしきい値またはそれ以上のレベルへの移行が検出される。電力レベルがしきい値レベルまたはそれ以上の状態にある時間の長さが測定される。電力レベルが定義されたしきい値よりも低い電力レベルに移行すると、この期間の終了が検出される。
【００２１】
タイムウィンドウを測定する別の方法として、ある時間幅の特定のタイムウィンドウを定義し、この定義したタイムウィンドウの間に受信した信号の平均電力を測定する方法がある。この場合、ウィンドウは、わずかな時間だけ時間がスライドする。ウィンドウがスライドするのに要した時間は時間幅よりもずっと少ない。再び平均電力が測定される。第１のウィンドウの測定平均電力の、スライドしたウィンドウの測定平均電力に対する比が算出される。電力移行が生じたのであれば、その比は１よりもずっと大きくなる。電力移行がまったく生じなかったのであれば、その比は比較的１に等しい値になる。例えば、第１のウィンドウがタイム０で開始し、タイム１０ミリ秒で終了したとする。したがって時間幅は１０ミリ秒である。測定された平均電力がＷ０ワットであるとする。このとき、１０ミリ秒のウィンドウが０．１ミリ秒だけスライドすると、これは、このウィンドウがこのとき０．１ミリ秒で開始し、１０．１ミリ秒で終了することを意味する。第２のウィンドウの平均電力がＷ１ワットと測定される。比Ｗ０／Ｗ１が算出され、この比が比較的１に近い値であれば、Ｗ０はほぼＷ１に等しい。この比が比較的大きければ（例えば３）、１０ミリ秒と１０．１ミリ秒の間のある時間において移行が生じた。チャネルのフェージング、チャネルゲインなど、様々なチャネル状態の要因を考慮に入れたマッピング機能が開発されており、この機能は、移行が発生した時間を予想することができる。前述の例の場合、１０．１５ミリ秒に移行が発生したとすると、受信した信号が定義されたしきい値またはそれ以上である時間は１０．１５ミリ秒である。
【００２２】
ステップ２０４で、ガイドチャネル（すなわちＴｒＣｈ１）を介して受信した情報を抽出する。その他のトランスポートチャネルを介して受信した情報も抽出する。ガイドチャネルとその他のチャネルの両方からの情報を、さらに処理するため、いずれかの周知のメモリ回路に一時的に記憶する。受信した情報の開始は、受信機器と送信機器の同期をとるために使用するＴＴＩタイミングから判定する。チャネルからの情報の抽出は、様々なチャネルを介して無線信号を受信−ＴＴＩと同期させて−し、その信号を復調し、その信号を情報ビットに変換し、その情報ビットを各トランスポートチャネルの別々の情報ブロックにデマルチプレックスするために必要な様々なステップを含む。
【００２３】
ステップ２０６で、測定した時間の長さおよびガイドチャネルから抽出した情報の情報レートに基づいて、抽出した情報のサイズの推定値を算出する。詳細には、抽出した情報の情報レートがわかると、または測定すると、その率を測定した時間の長さに乗じる。この乗算の結果、受信した情報ブロックの推定サイズが得られる。推定サイズは四捨五入して最も近い整数にすることができる。例えば、比率１／２で畳み込み符号化され、８ビットでＣＲＣ符号化され、また８ビットテールを有する情報を、ＴｒＣｈ１を介して受信する。さらに、ＴｒＣｈ１の情報レートが１４４ｋｂｐｓであると測定、または規格（すなわち３ＧＰＰ）で定義されているとする。測定された時間の長さは１．０９７ミリ秒だとする。この場合、情報サイズはｌ４４ｋｂｐｓ×１．０９７ミリ秒であると推定され、これは１５７．９６８ビットに等しく、これは四捨五入して１５８ビットになる。畳み込み符号化を補償するために、１５８を２で除すると７９ビットになる。次に８テールビットおよび８ＣＲＣビットを差し引くと、６３クラスＡビットになる。
【００２４】
ステップ２０８で、算出したサイズ６３ビットを、ＴｒＣｈ１用のサイズ値リストと比較する。算出された６３クラスＡビットは、ＴｒＣｈ１のどのモードともマッチしない。したがって、本発明の方法は、ステップ２１２に進み、そこで、ガイドチャネルの情報サイズ値として可能性が高い候補を選択する。可能性が高い候補はいくつでも選択することができるが、一般に、算出されたサイズに最も近い候補を選択する。ここでの例では、選択した候補は、６５ビットを有するモード２および６１ビットを有するモード４である。
【００２５】
ステップ２１４で、選択した候補を、正しいサイズ値、したがって受信した情報の書式を判定するためのアルゴリズムにかける。アルゴリズムは、本願と同時に出願した「Ａ  Ｍｅｔｈｏｄ  ｏｆ  Ｂｌｉｎｄ  Ｔｒａｎｓｐｏｒｔ  Ｆｏｒｍａｔ  Ｄｅｔｅｃｔｉｏｎ」という名称の特許出願に記載するものでよい。このアルゴリズムでは、選択した候補のそれぞれを使って、抽出した情報に復号操作を実行する。復号操作は、誤り訂正復号（例えば畳み込み復号）を含み、それによって得られた結果には、テールビット試験および誤り検出復号操作（例えばＣＲＣ復号）を実行する。復号操作を実施したときに正しい復号が得られる選択候補を、正しい情報サイズ値として選択する。次いで、その他のチャネルの対応する情報サイズ値も判定することができ、それによって、受信した情報の書式を検出することができる。前述の例では、６５がガイドチャネル（ＴｒＣｈ１）の正しい情報サイズ値であると見出された場合には、ＴｒＣｈ２およびＴｒＣｈ３の情報サイズ値はそれぞれ９９ビットおよび４０ビットである。
【００２６】
ルックアップテーブルまたは何か他のマッピング技術を使って、ガイドチャネルを含む通信チャネルの情報サイズ値を記憶する。ガイドチャネルのサイズ値が見出されると、その他のチャネルの情報サイズ値をルックアップテーブルから判定する。ルックアップテーブル以外のマッピング技術も使用可能であることに注意されたい。例えば、ガイドチャネルの検出した情報サイズ値を使って、通信システムの他のチャネルの情報サイズ値を示すことができ、それによって受信した情報の書式が得られる。例えば、検出したガイドチャネルの情報サイズ値のメモリアドレスや記憶アドレスを使って、他のトランスポートチャネルの情報サイズ値の対応するメモリアドレスを示すその他の技術を使用することができる。
【００２７】
算出した情報サイズ値がＴｒＣｈ１用のサイズ値リストの情報サイズ値の１つと等しい場合、本発明の方法はステップ２１０に進む。ステップ２１０で、その他のチャネルの対応するサイズ値を得ることにより、受信した情報の書式を検出する。例えば、算出したサイズ値が６１であるならば、ＴｒＣｈ２およびＴｒＣｈ３の対応するサイズ値は、それぞれ８７および０になる。ＴｒＣｈ１の算出された情報サイズ値６１は、表１のモード４に正確にマッチする値である。
【図面の簡単な説明】
【図１】３ＧＰＰ規格に準拠するＵＭＴＳのトランスポートチャネルの書式を示す。
【図２】本発明の方法を示す流れ図である。
【図１】
0004037724.tif 000003
【図２】
0004037724.tif 000004